(57)【要約】      （修正有）【課題】端末装置の置かれた状況に応じて設定内容を切替えることができる端末装置を提供する。【解決手段】端末装置に、端末装置と一定の範囲内にある周辺端末装置から周辺端末装置を識別する識別情報を受信する受信手段と、周辺端末装置の識別情報毎に周辺端末装置が属するグループをあらかじめ記憶したグループ情報に基づいて、受信手段が受信した識別情報が示す周辺端末装置がいずれのグループに属するかを特定する特定手段と、受信手段が一定期間に受信した識別情報についての特定手段による特定結果に応じて端末装置の設定内容を決定する決定手段と、決定手段が決定した設定内容にしたがって端末装置の設定を切替える切替え手段と、を備える。【選択図】図２
2014075628.tif 000002
【特許請求の範囲】
【請求項１】
周辺端末装置と通信を行う端末装置において、
前記端末装置と一定の範囲内にある周辺端末装置から該周辺端末装置を識別する識別情報を受信する受信手段と、
周辺端末装置の識別情報毎に周辺端末装置が属するグループをあらかじめ記憶したグループ情報に基づいて、前記受信手段が受信した識別情報が示す周辺端末装置がいずれのグループに属するかを特定する特定手段と、
前記受信手段が一定期間に受信した識別情報についての前記特定手段による特定結果に応じて前記端末装置の設定内容を決定する決定手段と、
前記決定手段が決定した設定内容にしたがって前記端末装置の設定を切替える切替え手段と、
を備える端末装置。
【請求項２】
前記グループ情報に含まれるグループは、周辺端末装置の利用者と前記端末装置の利用者との間の特定の関係を示す、
ことを特徴とする請求項１に記載の端末装置。
【請求項３】
前記決定手段は、前記受信手段が一定期間に受信した識別情報が示す周辺端末装置のうち特定のグループに属する周辺端末装置の数に応じてあらかじめ決められた前記端末装置の設定内容に関する設定情報に基づいて、前記端末装置の設定内容を決定する、
ことを特徴とする請求項１に記載の端末装置。
【請求項４】
周辺端末装置と通信を行う端末装置の設定変更方法において、
前記端末装置と一定の範囲内にある周辺端末装置から該周辺端末装置を識別する識別情報を受信し、
周辺端末装置の識別情報毎に周辺端末装置が属するグループをあらかじめ記憶したグループ情報に基づいて、前記受信した識別情報が示す周辺端末装置がいずれのグループに属するかを特定し、
一定期間に受信した識別情報についての前記特定の結果に応じて前記端末装置の設定内容を決定し、
前記決定した設定内容にしたがって前記端末装置の設定を切替える、
処理を前記端末装置が行う設定変更方法。
【請求項５】
周辺端末装置と通信を行う端末装置の設定変更を行うためのプログラムにおいて、
前記端末装置と一定の範囲内にある周辺端末装置から該周辺端末装置を識別する識別情報を受信し、
周辺端末装置の識別情報毎に周辺端末装置が属するグループをあらかじめ記憶したグループ情報に基づいて、前記受信した識別情報が示す周辺端末装置がいずれのグループに属するかを特定し、
一定期間に受信した識別情報についての前記特定の結果に応じて前記端末装置の設定内容を決定し、
前記決定した設定内容にしたがって前記端末装置の設定を切替える、
処理を前記端末装置に行わせるプログラム。
【発明の詳細な説明】
【技術分野】
【０００１】
本発明は、端末装置、端末装置の設定変更方法およびプログラムに関する。
【背景技術】
【０００２】
従来、携帯電話などの端末装置には、マナーモードやプライバシーモード（登録商標）などの機能を備えるものがある。端末装置の利用者は、必要に応じて自らマナーモードやプライバシーモードを設定し解除する必要がある。そのため、時には、マナーモードやプライバシーモードを設定したまま解除することを忘れてしまう場合がある。一方、ＧＰＳ（Ｇｌｏｂａｌ  Ｐｏｓｉｔｉｏｎｉｎｇ  Ｓｙｓｔｅｍ）を利用して取得した端末装置の位置情報に応じてマナーモードやプライバシーモードを自動的に切替える技術が存在する。
【０００３】
上記技術に関連して、大規模な装置を設置することなく、周囲の人の有無に応じて自動的にマナーモードを設定する携帯端末装置が知られている。
また、携帯電話機間において近距離無線通信ユニットを介して簡略的な個人情報を入力したホワイトカード情報の交換がなされると、所定時間内に受信した交換相手のホワイトカード情報を自動的にグループ化して表示部１３に表示する携帯端末装置が知られている。
【先行技術文献】
【特許文献】
【０００４】
【特許文献１】特開２００７−１３５００９号公報
【特許文献２】特開２００９−１４７８２８号公報
【発明の概要】
【発明が解決しようとする課題】
【０００５】
例えば、上述のようにＧＰＳを利用する場合、ＧＰＳを利用して得られる位置情報の精度によってはモードの切替えに問題が生じる場合がある。また、屋内ではＧＰＳを利用できないという問題がある場合がある。
【０００６】
本端末装置は、１つの側面では、端末装置の置かれた状況に応じて設定内容を切替えることができる端末装置を提供することを目的とする。
【課題を解決するための手段】
【０００７】
本端末装置の１つの観点によれば、本端末装置は、周辺端末装置と通信を行う端末装置である。そして、本端末装置は、以下の構成要素を備える。
受信手段は、前記端末装置と一定の範囲内にある周辺端末装置から該周辺端末装置を識別する識別情報を受信する。
【０００８】
特定手段は、周辺端末装置の識別情報毎に周辺端末装置が属するグループをあらかじめ記憶したグループ情報に基づいて、前記受信手段が受信した識別情報が示す周辺端末装置がいずれのグループに属するかを特定する。
【０００９】
決定手段は、前記受信手段が一定期間に受信した識別情報についての前記特定手段による特定結果に応じて前記端末装置の設定内容を決定する。
切替え手段は、前記決定手段が決定した設定内容にしたがって前記端末装置の設定を切替える。
【発明の効果】
【００１０】
本端末装置は、１つの態様では、端末装置の置かれた状況に応じて設定内容を切替えることができる端末装置を提供することができる。
【図面の簡単な説明】
【００１１】
【図１】端末装置１００の構成例を示す図である。
【図２】アプリケーション部１３０の動作の概要を説明する図である。
【図３】電話帳３００の一例を示す図である。
【図４】端末装置１００の処理の一例を示す図である。
【図５】モード決定部２４０の処理の一例を示すフローチャートである。
【図６】端末装置６００を実現するアプリケーション部１３０の動作の概要を説明する図である。
【図７】電話帳７００の一例を示す図である。
【図８】設定条件テーブル８００の一例を示す図である。
【図９】端末装置６００の処理の一例を示す図である。
【図１０】設定内容決定部６５０の処理の一例を示すフローチャートである。
【図１１】設定条件テーブル８００の設定画面１１００の一例を示す図である。
【図１２】ＭＡＣアドレスリストの一例を示す図である。
【図１３】グループリストの一例を示す図である。
【図１４】設定条件テーブル８００に時間帯を追加した場合の例を示す図である。
【発明を実施するための形態】
【００１２】
以下、本発明の実施形態の一例について、図１〜図１４に基づいて説明する。なお、以下に説明する実施形態はあくまでも例示であり、以下に明示しない種々の変形や技術の適用を排除する意図ではない。すなわち、本実施形態は、その趣旨を逸脱しない範囲で、各実施例を組み合わせるなど種々変形して実施することができる。また、図４、図５、図９および図１０にフローチャートの形式で示した処理手順は、処理の順番を限定する趣旨ではない。したがって、可能な場合には、処理の順番を入れ替えても良いのは当然である。
【００１３】
≪実施例≫
図１は、本実施例に係る端末装置１００の構成例を示す図である。
端末装置１００は、アンテナ１１０と、無線部１２０と、アプリケーション部１３０と、近距離無線通信部１４０と、バイブレータ１５０と、スピーカ１６０と、タッチパネルディスプレイ１７０と、を備える。端末装置１００は、携帯電話であってもよい。
【００１４】
無線部１２０は、電話網などを利用した無線通信を行って他の端末装置とデータの送受信を行う。例えば、無線部１２０は、アプリケーション部１３０から送られるデータを他の通信端末に送信し、他の端末装置から送信されたデータを受信すると、受信したデータをアプリケーション部１３０に送信する。また、無線部１２０は、電話網を介して他の端末装置と通話回線を確立することもできる。
【００１５】
アプリケーション部１３０は、ＣＰＵ１３１と、ＲＡＭ（Ｒａｎｄｏｍ  Ａｃｃｅｓｓ  Ｍｅｍｏｒｙ）１３２と、ＦＬＡＳＨメモリ１３３と、を備える。
ＣＰＵ（Ｃｅｎｔｒａｌ  Ｐｒｏｃｅｓｓｉｎｇ  Ｕｎｉｔ）１３１は、本実施例に係る端末装置１００を実現するためのプログラムや所望のアプリケーションを実行する演算装置である。ＲＡＭ１３２は、ＣＰＵ１３１が実行するプログラムやデータ、例えば、図３や図７で後述する電話帳３００や７００、図８で後述する設定条件テーブル８００などの一部または全部を一時的に記憶する揮発性の記憶装置である。ＦＬＡＳＨメモリ１３３は、ＣＰＵ１３１が実行するプログラムやデータ、例えば、図３や図７で後述する電話帳３００や７００、図８で後述する設定条件テーブル８００などを記憶する不揮発性の記憶装置である。
【００１６】
近距離無線通信部１４０は、端末装置１００と近距離にある他の端末装置、以下では「周辺端末装置」という、と所定の規格にしたがって無線通信を行う通信装置である。所定の規格には、例えば、Ｂｌｕｅｔｏｏｔｈ（登録商標）などを使用することができる。なお、近距離とは、例えば、Ｂｌｕｅｔｏｏｔｈによる通信が可能な距離である。近距離無線通信部１４０は、近距離無線通信部１４０内に備わる図示しない記憶装置に、無線通信を行うときに端末装置１００を識別する識別情報、例えば、本実施例で使用するＭＡＣ（Ｍｅｄｉａ  Ａｃｃｅｓｓ  Ｃｏｎｔｒｏｌ）アドレスを記憶している。近距離無線通信部１４０は、アプリケーション部１３０からの指示にしたがって、一定期間毎に、または、不定期に、周辺端末装置と無線通信を行ってＭＡＣアドレスの授受を行う。
【００１７】
バイブレータ１５０は、着信などを振動で利用者に知らせるための振動装置である。バイブレータ１５０は、アプリケーション部１３０からの指示にしたがって振動しまた振動を停止する。スピーカ１６０は、アプリケーション部１３０からの指示にしたがって着信音などを再生する。
【００１８】
タッチパネルディスプレイ１７０は、様々な情報や設定画面、例えば、図１１で後述する設定画面１１００などを表示し、タッチ操作などにより所望の情報を入力する入出力装置である。例えば、タッチパネルディスプレイ１７０は、設定画面１１００に表示された設定条件のいずれかに利用者が触れて選択すると、利用者が選択した設定条件を取得することができる。また、タッチパネルディスプレイ１７０は、取得した設定条件をアプリケーション部１３０に通知する。
【００１９】
なお、図１には示していないが、端末装置１００には、携帯電話として使用するために必要な装置、例えば、通話時の音声を拾うマイクや通話相手の音声を再生するスピーカなどを備えることができる。また、端末装置１００は、ＣＰＵ１３１に特定のプログラムを実行させることで一般的な電子メールの送受信などを行う機能を備えることもできる。
【００２０】
図２は、アプリケーション部１３０の動作の概要を説明する図である。
アプリケーション部１３０は、ＭＡＣアドレス通知部２１０と、Ｂｌｕｅｔｏｏｔｈ通信部２２０と、ＭＡＣアドレス集計部２３０と、モード決定部２４０と、プライバシーモード設定部２５０と、を備える。
【００２１】
なお、ＭＡＣアドレス通知部２１０、Ｂｌｕｅｔｏｏｔｈ通信部２２０、ＭＡＣアドレス集計部２３０、モード決定部２４０およびプライバシーモード設定部２５０は、アプリケーション部１３０のＣＰＵ１３１が所定のプログラムを実行することによって実現できる。
【００２２】
ＭＡＣアドレス通知部２１０は、Ｂｌｕｅｔｏｏｔｈ通信部２２０に対して、一定期間毎に、周辺端末装置に端末装置１００のＭＡＣアドレスを通知するとともに周辺端末装置のＭＡＣアドレスを通知するよう発信要求を行う。なお、端末装置１００のＭＡＣアドレスとは、端末装置１００の近距離無線通信部１４０に備わる記憶装置に記憶されているＭＡＣアドレスをいう。
【００２３】
Ｂｌｕｅｔｏｏｔｈ通信部２２０は、ＭＡＣアドレス通知部２１０から要求を受けると、近距離無線通信部１４０を使用して端末装置１００のＭＡＣアドレスを周辺端末装置に発信する。また、Ｂｌｕｅｔｏｏｔｈ通信部２２０は、周辺端末装置から送信されたＭＡＣアドレスを受信すると、受信したＭＡＣアドレスをＭＡＣアドレス集計部２３０に通知する。
【００２４】
ＭＡＣアドレス集計部２３０は、一定期間にＢｌｕｅｔｏｏｔｈ通信部２２０から通知されたＭＡＣアドレスのリスト、以下では「ＭＡＣアドレスリスト」という、を作成してモード決定部２４０に通知する。ＭＡＣアドレスリストについては、図１２に具体例を示す。
【００２５】
モード決定部２４０は、ＦＬＡＳＨメモリ１３３に記憶されている電話帳３００を参照し、ＭＡＣアドレス集計部２３０から通知されたＭＡＣアドレスリストに含まれるＭＡＣアドレスそれぞれが属するグループを特定する。そして、モード決定部２４０は、プライバシーモード対象グループに属するＭＡＣアドレスが少なくとも１つ以上ＭＡＣアドレスリストに含まれる場合、プライバシーモード設定部２５０に対して、端末装置１００をプライバシーモードに設定するよう要求する。
【００２６】
プライバシーモードとは、あらかじめ設定した特定の端末装置からの電話番号やメールを非表示にすることができるモードである。また、このプライバシーモードは、あらかじめ設定した特定の端末装置から電話やメールの着信があってもタッチパネルディスプレイ１７０への表示やスピーカ１６０やバイブレータ１５０による通知をしないようすることもできる。また、このプライバシーモードは、必要に応じて、タッチパネルディスプレイ１７０に表示するメインメニューのアイコン、ブックマーク、画像などを非表示にすることもできる。
【００２７】
また、モード決定部２４０は、プライバシーモード対象グループに属するＭＡＣアドレスがＭＡＣアドレスリストに１つも含まれない場合、プライバシーモード設定部２５０に対して、端末装置１００に設定されているプライバシーモードを解除するよう要求する。
【００２８】
プライバシーモード設定部２５０は、モード決定部２４０からの要求にしたがって、端末装置１００にプライバシーモードを設定し、または、端末装置１００に設定されているプライバシーモードを解除する。
【００２９】
図３は、本実施例で使用する電話帳３００の一例を示す図である。
電話帳３００には、電話帳３００に登録された電話番号、以下では「登録電話番号」という、毎に割り当てられるＩＤ（Ｉｄｅｎｔｉｆｉｃａｔｉｏｎ）と、登録電話番号の端末装置の所有者の氏名と、登録電話番号の端末装置のＭＡＣアドレスと、ＭＡＣアドレスが属するグループ情報と、を含む。電話帳３００に含まれるこれらの情報は、例えば、タッチパネルディスプレイ１７０などを使用してあらかじめ端末装置１００の利用者が登録することができる。
【００３０】
図４は、端末装置１００の処理の一例を示す図である。なお、図４に示す（１）−（７）は、以下に記載の（１）−（７）に対応する。
（１）Ｂｌｕｅｔｏｏｔｈ通信部２２０は、周辺端末装置に対してＭＡＣアドレスの通知を要求する。そして、Ｂｌｕｅｔｏｏｔｈ通信部２２０は、周辺端末装置からＭＡＣアドレスを受信すると、受信したＭＡＣアドレスをＭＡＣアドレス集計部２３０に通知する。
【００３１】
（２）ＭＡＣアドレス集計部２３０は、Ｂｌｕｅｔｏｏｔｈ通信部２２０から通知されるＭＡＣアドレスをＲＡＭ１３２の所定の記憶領域に一時的に記憶する。
なお、上記（１）および（２）による周辺端末装置のスキャン処理は、常に繰り返し行ってもよいが、一定間隔で一定期間行ってもよいし、また、端末装置１００が電子メールを受信したタイミングで周辺端末装置のスキャン処理を実行してもよい。また、端末装置１００が移動することで端末装置１００と通信する基地局が切り替わるハンドオーバーが発生したタイミングで周辺端末装置のスキャン処理を実行してもよい。
【００３２】
（３）一定期間経過すると、ＭＡＣアドレス集計部２３０は、一定期間のあいだに行われた上記（１）−（２）の処理によってＲＡＭ１３２の所定の記憶領域に一時的に記憶されたＭＡＣアドレスを含むＭＡＣアドレスリストをモード決定部２４０に通知する。
【００３３】
（４）モード決定部２４０は、ＦＬＡＳＨメモリ１３３に記憶されている電話帳３００を参照し、ＭＡＣアドレス集計部２３０から通知されたＭＡＣアドレスリストに含まれるＭＡＣアドレスそれぞれが属するグループを特定する。
【００３４】
（５）そして、プライバシーモード対象グループに属するＭＡＣアドレスが少なくとも１つ以上ある場合、モード決定部２４０は、端末装置１００に設定する設定内容をプライバシーモードに決定する。この場合、モード設定部２５０は、プライバシーモード設定部２５０に対して、プライバシーモードを端末装置１００に設定するように要求する。また、プライバシーモード対象グループに属するＭＡＣアドレスがＭＡＣアドレスリストに含まれていない場合、モード決定部２４０は、端末装置１００に設定されているプライバシーモードを解除するようにプライバシーモード設定部２５０に要求する。
【００３５】
（６）プライバシーモード設定部２５０は、モード決定部２４０の要求に応じて、端末装置１００にプライバシーモードを設定し、または、設定されているプライバシーモードを解除する。
【００３６】
図５は、モード決定部２４０の処理の一例を示すフローチャートである。
モード決定部２４０は、ＭＡＣアドレス集計部２３０からＭＡＣアドレスリストの通知を受けると、以下の処理を開始する（ステップＳ５００）。
【００３７】
モード決定部２４０は、ＭＡＣアドレスリストを参照し、ＭＡＣアドレスリストに登録されているいずれかのＭＡＣアドレスを選択する（ステップＳ５０１）。
モード決定部２４０は、ＦＬＡＳＨメモリ１３３に記憶されている電話帳３００を参照し、ステップＳ５０１で選択したＭＡＣアドレスの属するグループを特定する（ステップＳ５０２）。
【００３８】
ステップＳ５０１で選択したＭＡＣアドレスがプライバシーモード対象グループに属さない場合（ステップＳ５０３  ＮＯ）、モード決定部２４０は、ＭＡＣアドレスリストにまだ選択していないＭＡＣアドレスがあるか否かを確認する（ステップＳ５０４）。
【００３９】
ＭＡＣアドレスリストに未選択のＭＡＣアドレスがある場合（ステップＳ５０４  ＹＥＳ）、モード決定部２４０は、処理をステップＳ５０１に移行する。そして、モード決定部２４０は、ＭＡＣアドレスリストから、まだ選択されていないＭＡＣアドレスのいずれかを選択し（ステップＳ５０１）、ステップＳ５０２−Ｓ５０４の処理を繰り返す。
【００４０】
一方、ＭＡＣアドレスリストに未選択のＭＡＣアドレスがない場合（ステップＳ５０４  ＮＯ）、モード決定部２４０は、プライバシーモード設定部２５０に対して、端末装置１００に設定されているプライバシーモードの解除を要求する。
【００４１】
また、ステップＳ５０１で選択したＭＡＣアドレスがプライバシーモード対象グループに属している場合（ステップＳ５０３  ＹＥＳ）、モード決定部２４０は、処理をステップＳ５０６に移行する。この場合、モード決定部２４０は、プライバシーモード設定部２５０に対して、端末装置１００にプライバシーモードを設定するよう要求する（ステップＳ５０６）。
【００４２】
以上の処理が完了すると、モード決定部２４０は、処理を終了する（ステップＳ５０７）。
【００４３】
≪その他の実施例≫
図６は、その他の実施例に係る端末装置６００を実現するアプリケーション部１３０の動作の概要を説明する図である。なお、本実施例に係る端末装置６００には、図１で説明した構成例を使用することができる。端末装置６００は、携帯電話であってもよい。
【００４４】
端末装置６００は、ＭＡＣアドレス通知部６１０と、Ｂｌｕｅｔｏｏｔｈ通信部６２０と、ＭＡＣアドレス集計部６３０と、グループリスト作成部６４０と、設定内容決定部６５０と、端末設定変更部６６０と、を備える。
【００４５】
グループリスト作成部６４０は、ＦＬＡＳＨメモリ１３３に記憶されている電話帳７００を参照し、ＭＡＣアドレス集計部６３０から通知されたＭＡＣアドレスリストに含まれるＭＡＣアドレスそれぞれが属するグループを特定する。グループリスト作成部６４０は、グループ毎にグループに属するＭＡＣアドレスで特定される周辺端末装置の台数を集計したグループリストを作成し、作成したグループリストを設定内容決定部６５０に通知する。グループリストについては、図１３に具体例を示す。
【００４６】
設定内容決定部６５０は、ＦＬＡＳＨメモリ１３３に記憶されている設定条件テーブル８００を参照し、グループリスト作成部６４０から通知されたグループリストに応じた設定内容を決定する。そして、設定内容決定部６５０は、端末設定変更部６６０に対して、決定した設定内容に端末装置６００の設定を変更するよう要求する。
【００４７】
端末設定変更部６６０は、設定内容決定部６５０から通知された設定内容にしたがって、端末装置６００の設定を変更する。
なお、ＭＡＣアドレス通知部６１０、Ｂｌｕｅｔｏｏｔｈ通信部６２０およびＭＡＣアドレス集計部６３０は、図２で説明したＭＡＣアドレス通知部２１０、Ｂｌｕｅｔｏｏｔｈ通信部２２０、ＭＡＣアドレス集計部２３０と同様なので説明は省略する。
【００４８】
図７は、本実施例で使用する電話帳７００の一例を示す図である。
電話帳７００には、登録電話番号に割り当てられるＩＤと、登録電話番号の端末装置の所有者の氏名と、登録電話番号の端末装置のＭＡＣアドレスと、ＭＡＣアドレスが属するグループ情報と、を含むことができる。
【００４９】
グループ情報には、周辺端末装置の利用者と端末装置６００の利用者との間の特定の関係、例えば、社会的関係などを示すグループなどを使用することができる。社会的関係を示すグループには、例えば、会社と関連のある会社グループ、友人と関連のある友人グループ、家族と関連のある家族グループなどを含むことができる。図７の例では、ＭＡＣアドレス「３４：１２：７８：５６：０９：ＣＤ」などが会社グループに属している。また、ＭＡＣアドレス「０Ａ：２Ｂ：０Ｃ：ＥＣ：９Ｃ：０１」が友人グループに属している。また、ＭＡＣアドレス「１２：３４：５６：７８：９０：ＡＢ」が家族グループに属している。
【００５０】
図８は、本実施例で使用する設定条件テーブル８００の一例を示す図である。
設定条件テーブル８００には、設定条件毎に割り当てられるＩＤと、設定条件と、条件に応じた設定内容と、を含むことができる。
【００５１】
図８のＩＤ１で例示する設定条件は、グループリストにおいて、いずれのグループにも属さない「グループ登録なし」のＭＡＣアドレスで特定される周辺端末装置が１台以上ある場合である。そして、この設定条件が真となる場合の設定内容は、端末装置６００を「マナーモードに設定、かつ、プライバシーモードに設定」となっている。以下では、特定のグループに属するＭＡＣアドレスで特定される周辺端末装置を単に「特定のグループに属する周辺端末装置」という。
【００５２】
なお、マナーモードとは、例えば、スピーカ１６０による着信音の再生などを停止してバイブレータによる振動で着信を通知するモードである。端末装置６００は、あらかじめ利用者がタッチパネルディスプレイ１７０を介して端末装置６００に指定した機能をマナーモードに追加しまたは削除することができる。
【００５３】
また、ＩＤ２で例示する設定条件は、グループリストにおいて、「会社グループ」に属する周辺端末装置が１台以上ある場合である。そして、この設定条件が真となる場合の設定内容は、「電話帳７００に含まれる会社グループに属する周辺端末装置の電話番号を表示、会社用アプリケーションのアイコンを表示、かつ、プライバシーモードに設定」となっている。なお、会社用アプリケーションとは、あらかじめ会社グループと関連づけられたアプリケーションである。また、会社グループに属する周辺端末装置の電話番号には、会社グループに属する周辺端末装置の電話番号に関連する情報、例えば、周辺端末装置の利用者の氏名や住所、メールアドレスなどを含むことができる。アイコンを表示することは、アイコンに関連づけられたアプリケーションが実行可能にすることを意味する。
【００５４】
また、ＩＤ３で例示する設定条件は、グループリストにおいて、「家族グループ」に属する周辺端末装置のみが存在する場合である。そして、この設定条件が真となる場合の設定内容は、「マナーモードを解除、かつ、プライバシーモードを解除」となっている。
【００５５】
なお、本実施例では、ＩＤが優先順位も兼ねている。本実施例では、ＩＤが小さい程優先順位が高いものとする。したがって、図８の例では、ＩＤ１の設定条件が真であれば、ＩＤ１の設定内容が優先的に使用される。ＩＤは、例えば、後述する図１１で優先順位として設定することができる。
【００５６】
図９は、端末装置６００の処理の一例を示す図である。なお、図９に示す（１）−（７）は、以下に記載の（１）−（７）に対応する。
（１）Ｂｌｕｅｔｏｏｔｈ通信部６２０は、周辺端末装置に対してＭＡＣアドレスの通知を要求する。そして、Ｂｌｕｅｔｏｏｔｈ通信部６２０は、周辺端末装置からＭＡＣアドレスを受信すると、受信したＭＡＣアドレスをＭＡＣアドレス集計部６３０に通知する。
【００５７】
（２）ＭＡＣアドレス集計部６３０は、Ｂｌｕｅｔｏｏｔｈ通信部６２０から通知されるＭＡＣアドレスをＲＡＭ１３２の所定の記憶領域に一時的に記憶する。
なお、上記（１）および（２）による周辺端末装置のスキャン処理は、常に繰り返し行ってもよいが、一定間隔で一定期間行ってもよいし、また、端末装置６００が電子メールを受信したタイミングで周辺端末装置のスキャン処理を実行してもよい。また、端末装置６００が移動することで端末装置６００と通信する基地局が切り替わるハンドオーバーが発生したタイミングで周辺端末装置のスキャン処理を実行してもよい。
【００５８】
（３）一定期間経過すると、ＭＡＣアドレス集計部６３０は、一定期間のあいだに行われた上記（１）−（２）の処理によってＲＡＭ１３２の所定の記憶領域に一時的に記憶したＭＡＣアドレスを含むＭＡＣアドレスリストをグループリスト作成部６４０に通知する。
【００５９】
（４）グループリスト作成部６４０は、ＦＬＡＳＨメモリ１３３に記憶されている電話帳７００を参照し、ＭＡＣアドレス集計部６３０から通知されたＭＡＣアドレスリストに含まれるＭＡＣアドレスそれぞれが属するグループを特定する。
【００６０】
（５）そして、グループリスト作成部６４０は、グループ毎にグループに属する周辺端末装置の台数を集計したグループリストを作成し、作成したグループリストを設定内容決定部６５０に通知する。
【００６１】
（６）グループリスト作成部６４０からグループリストの通知を受けると、設定内容決定部６５０は、ＦＬＡＳＨメモリ１３３に記憶されている設定条件テーブル８００を参照し、グループリストが満たす設定条件に応じた設定内容を決定する。
【００６２】
（７）そして、設定内容決定部６５０は、決定した設定内容を端末設定変更部６６０に通知して、通知した設定内容にしたがって端末装置６００の設定を変更するように要求する。
【００６３】
図１０は、設定内容決定部６５０の処理の一例を示すフローチャートである。
設定内容決定部６５０は、グループリスト作成部６４０からグループリストの通知を受けると、以下の処理を開始する（ステップＳ１０００）。
【００６４】
設定内容決定部６５０は、条件ＩＤポインタ変数に１を設定する（ステップＳ１００１）。
設定内容決定部６５０は、ＦＬＡＳＨメモリ１３３に記憶されている設定条件テーブル８００を参照し、条件ＩＤポインタが示すＩＤの設定条件を読み出す。
【００６５】
グループリストが、ステップＳ１００２で読み出した設定条件と合致する場合（ステップ１００３  ＹＥＳ）、設定内容決定部６５０は、処理をステップＳ１００４に移行する。この場合、設定内容決定部６５０は、設定条件テーブル８００を参照し、条件ＩＤポインタが示すＩＤの設定条件を読み出す（ステップＳ１００４）。そして、設定内容決定部６５０は、端末設定変更部６６０に対して、ステップＳ１００４で読み出した設定内容にしたがって端末装置６００の設定を変更するよう要求する（ステップＳ１００５）。そして、設定内容決定部６５０は、処理をステップＳ１００６に移行する。
【００６６】
また、ステップＳ１００３において、グループリストが、ステップＳ１００２で読み出した設定条件と合致しない場合（ステップＳ１００３  ＮＯ）、設定内容決定部６５０は、処理をステップＳ１００６に移行する。
【００６７】
ステップＳ１００６では、設定内容決定部６５０は、条件ＩＤポインタの値を１だけインクリメントする。
条件ＩＤポインタの値が、設定条件テーブル８００に含まれるＩＤの最大値以下の場合（ステップＳ１００７  ＮＯ）、設定内容決定部６５０は、処理をステップＳ１００２に移行する。そして、設定内容決定部６５０は、ステップＳ１００２−Ｓ１００７の処理を繰り返す。
【００６８】
また、条件ＩＤポインタの値が、設定条件テーブル８００に含まれるＩＤの最大値より大きい場合（ステップＳ１００７  ＹＥＳ）、設定内容決定部６５０は、処理をステップＳ１００８に移行する。そして、設定内容決定部６５０は、処理を終了する（ステップＳ１００８）。
【００６９】
図１１は、設定条件テーブル８００の設定画面１１００の一例を示す図である。
設定画面１１００には、優先順位の入力欄と、グループ名の表示欄と、設定条件選択の欄と、設定条件および設定内容の表示欄と、が含まれている。
【００７０】
優先順位の入力欄には、利用者が設定条件毎の優先順位を入力する欄１１１０が含まれる。この入力欄に入力された優先順位は、図８に示した設定条件テーブル８００のＩＤとして使用することができる。
【００７１】
グループ名の表示欄は、例えば、電話帳７００に登録されているグループの名称が表示される。
設定条件選択の欄は、設定条件を選択するためのラジオボタン１１２０を表示する欄である。未選択のラジオボタン１１２０は「○」で表示され、選択されたラジオボタン１１２０は「●」で表示される。図１１では、例えば、「グループ登録なし」の設定条件として、「１台以上」が選択されている場合が例示されている。
【００７２】
設定条件の表示欄には、グループ名の表示欄に表示されたグループに関連した設定条件が表示される。例えば、図１１の「グループ登録なし」の設定条件に記載されている「全て」とは、全ての周辺端末装置が電話帳７００のグループ情報に記載のいずれのグループにも属していない場合を示している。また、「１台以上」とは、電話帳７００のグループ情報に記載のいずれのグループにも属していない周辺端末装置が少なくとも１台以上ある場合を示している。また、「なし」とは、電話帳７００のグループ情報に記載のいずれのグループにも属していない周辺端末装置はない場合を示している。
【００７３】
設定内容の表示欄には、設定条件の表示欄に表示された設定条件を満たす場合の設定内容が表示される。例えば、図１１では、「グループ登録なし」における「１台以上」の設定条件を満たす場合の設定内容の表示欄には、「マナーモードを設定、プライバシーモードを設定」と表示されている。なお、設定内容の表示欄に設定されている「指定なし」は、端末装置６００に対して行う設定変更がないことを示している。
【００７４】
図１１に示したグループ名や設定条件、設定内容は一例であって、設定条件テーブル８００の内容を限定する趣旨ではない。また、図１１では、あらかじめ決められた設定条件や設定内容を設定画面１１００に表示する場合の例を示しているが、設定条件や設定内容を複数の項目から利用者が選択可能なように表示してもよい。
【００７５】
図１２は、ＭＡＣアドレスリストの一例を示す図である。ＭＡＣアドレスリスト１２００には、ＭＡＣアドレス集計部２３０やＭＡＣアドレス集計部６３０が一定期間に周辺端末装置から受信したＭＡＣアドレスが含まれる。
【００７６】
図１３は、グループリストの一例を示す図である。グループリスト１３００には、グループ毎にグループに属する周辺端末装置の台数の情報が含まれる。図１３の例では、例えば、家族グループの属する周辺端末装置は０台となっている。また、電話帳７００に記載のいずれのグループにも属さない「グループ登録なし」の周辺端末装置が２台となっている。
【００７７】
ここで、設定条件テーブル８００で例示した設定条件・設定内容以外にも様々な設定条件に応じた設定内容を使用することができる。その例を以下に示す。
（１）マナーモードの設定
周辺端末装置が一定数以上存在する場合や会社グループに属する周辺端末装置が存在する場合などの設定条件に対してマナーモードを設定する設定内容を設定条件テーブル８００に追加することができる。この場合、他人が周りに多数いる場合や会社の人がいる場合に端末装置６００をマナーモードに自動的に切替えることができる。
【００７８】
（２）端末操作ロックの設定
グループ登録なしの周辺端末装置のみ存在する場合などの設定条件に対して端末装置６００の操作を制限する操作ロック機能を有効にする設定内容を設定条件テーブル８００に追加することができる。また、家族グループに属する周辺端末装置のみ存在する場合などの設定条件に対して端末装置６００の操作ロック機能を無効にする設定内容を設定条件テーブル８００に追加することができる。この場合、周囲に知人がいない状況では自動的に端末装置６００の操作ロック機能が有効になるので、端末装置６００をどこかに置き忘れた場合でも一定のセキュリティを確保することができる。
【００７９】
（３）端末操作の制限
会社グループに属する周辺端末装置が存在し、かつ、例えば、ＧＰＳ等で得られる端末装置６００の現在位置があらかじめ登録された会社の位置を基準とする一定範囲内である場合などの設定条件を設定条件テーブル８００に追加することができる。この設定条件に対して、端末装置６００に記憶されている所定のデータ、ファイル、コンテンツおよび連絡先情報などの参照を制限し、または、参照可能な範囲を変更するなどの設定内容を設定条件テーブル８００に追加することができる。さらに、特定のアプリケーションの実行を制限するなどの設定内容を設定条件テーブル８００に追加してもよい。
【００８０】
（４）デバイスの設定
グループ登録なしの周辺端末装置が一定数以上存在する場合などの設定条件に対してタッチパネルディスプレイ１７０の輝度を所定の数値まで低下させる設定内容を設定条件テーブル８００に追加することができる。この場合、さらに、Ｂｌｕｅｔｏｏｔｈヘッドセットと接続する設定内容を設定条件テーブル８００に追加してもよい。グループ登録なしの周辺端末装置が一定数以上ある場所は、公共の場であると判断できる。したがって、公共の場では、端末装置６００のタッチパネルディスプレイ１７０の輝度を下げて横からののぞき見を防止することができる。
【００８１】
（５）時間帯の設定
設定条件テーブル８００の設定条件に時間帯を追加することができる。図１４に、設定条件テーブル８００に時間帯を追加した場合の例を示す。設定条件テーブル１４００には、図８に示した設定条件テーブル８００に時間帯欄が追加されている。この時間帯欄に設定される時間帯は、設定条件をさらに限定する条件である。
【００８２】
例えば、設定条件テーブル１４００のＩＤ４には、時間帯欄に「平日  ２０：００−２４：００」が設定されている。この場合、端末装置６００は、家族グループに属する周辺端末装置のみが存在し、かつ、現在時刻が平日の２０：００−２４：００の時間帯である場合に、Ｗｉ−Ｆｉ接続機能を有効にする設定条件が記載されている。
【００８３】
（６）省電力モードの設定
グループ登録なしの周辺端末装置が一定数以上存在する場合などの設定条件に対して端末装置６００のＣＰＵ１３１のクロックを所定の数値まで低下させるなどの設定内容を設定条件テーブル８００に追加することができる。また、グループ登録なしの周辺端末装置が一定数以上存在する場合などの設定条件に対してＷｉ−Ｆｉ（Ｗｉｒｅｌｅｓｓ  Ｆｉｄｅｌｉｔｙ）接続のスキャン頻度を一定の頻度まで低下させるなどの設定内容を設定条件テーブル８００に追加してもよい。
【００８４】
ここで、グループ登録なしの周辺端末装置が一定数以上存在する場所に端末装置６００が置かれた場合、端末装置６００の利用者は外出中であると判断できる。したがって、外出中は、ＣＰＵ１３１のクロックを低下させ、または、Ｗｉ−Ｆｉ接続のスキャン頻度を低下させて端末装置６００の消費電力を低下させることができる。
【００８５】
（７）電話番号の切替え
端末装置６００が主番号と副番号など複数の電話番号を使用できる端末装置である場合、会社グループに属する周辺端末装置が存在する場合などの設定条件に対して会社用の電話番号を主番号に切替える設定内容を設定条件テーブル８００に追加することができる。
【００８６】
（８）表示画面設定
家族グループに属する周辺端末装置が存在する場合などの設定条件に対して端末装置６００の待ち受け画面に表示する画像データを、所定の画像データ、例えば、家族の写真の画像データに切替える設定内容を設定条件テーブル８００に追加することができる。
【００８７】
以上の説明において、受信手段、特定手段、決定手段、および切替え手段は、端末装置１００または端末装置６００に備わるＣＰＵ１３１に所定のプログラムを実行させることによって実現することができる。そして、Ｂｌｕｅｔｏｏｔｈ通信部２２０および６２０は、受信手段の一例としてあげられる。また、モード決定部２４０の一部およびグループリスト作成部６４０は、特定手段の一例としてあげられる。また、モード決定部２４０の一部および設定内容決定部６５０は、決定手段の一例としてあげられる。また、プライバシーモード設定部２５０および端末設定変更部６６０は、切替え手段の一例としてあげられる。
【００８８】
また、ＭＡＣアドレスは、識別情報の一例としてあげられる。また、図３に示したプライバシーモード対象グループや図７に示した家族グループ、会社グループおよび友人グループなどは、周辺端末装置が属するグループの一例としてあげられる。そして、図７に示した電話帳７００は、周辺端末装置の識別情報毎に周辺端末装置が属するグループをあらかじめ記憶したグループ情報の一例としてあげられる。
【００８９】
上述したように、端末装置１００は、一定期間に、１または２以上の周辺端末装置から受信したＭＡＣアドレスを含むＭＡＣアドレスリストを作成する。そして、端末装置１００は、電話帳３００に基づいて、ＭＡＣアドレスリストに含まれるＭＡＣアドレスそれぞれが属するグループを特定する。そして、端末装置１００は、プライバシーモード対象グループに属する周辺端末装置が少なくとも１つ以上存在する場合、端末装置１００の設定をプライバシーモードに変更する。
【００９０】
また、端末装置６００は、一定期間に、１または２以上の周辺端末装置から受信したＭＡＣアドレスを含むＭＡＣアドレスリストを作成する。そして、端末装置６００は、電話帳７００に基づいて、ＭＡＣアドレスリストに含まれるＭＡＣアドレスそれぞれが属するグループを特定してグループリストを作成する。そして、端末装置６００は、設定条件テーブル８００に基づいて、グループリストが満たす設定条件に応じた端末装置６００の設定内容を決定し、決定した設定内容に端末装置の設定を変更する。
【００９１】
以上のように、上述した端末装置１００および６００、以下では単に「端末装置」という、は、周辺端末装置が属するグループに関する特定の条件から設定内容を決定し、決定した設定内容にしたがって端末装置の設定を変更することができる。この場合、周辺端末装置が属するグループは、端末装置の置かれた状況、例えば、特定の人が端末装置の周囲に存在する状況を表していると考えることができる。したがって、端末装置は、置かれた状況に応じて端末装置の設定を切替えることができるということができる。
【００９２】
また、端末装置は、ＰＧＳなどを利用して周辺端末装置の位置情報を取得することはないので、ＧＰＳなどが利用できない室内などにおいても、端末装置の置かれた状況に応じて端末装置の設定を切替えることができる。
【００９３】
また、端末装置は、周辺端末装置が属するグループに関する特定の条件から設定内容を決定するので、端末装置の利用者が普段と異なる行動をした場合であっても、端末装置の置かれた状況に応じた設定内容に端末装置の設定を切替えることができる。
【００９４】
例えば、端末装置の利用者が出勤日に年次休暇をとって家族と過ごしている場合、家族グループに属する周辺端末装置のみが周辺に存在することになる。この場合、端末装置は、設定条件テーブル８００のＩＤ２に示した出勤時の設定内容ではなくＩＤ３に示した家族と過ごすときの設定内容に設定を切替える。また、会社にいる場合でも、周囲に他人だけがいる場合、周囲にはグループ登録なしの周辺端末装置だけとなる。この場合、端末装置は、設定条件テーブル８００のＩＤ１に示した公共的スペースにいるときの設定内容に設定を切替える。そして、周囲に仕事上の知人がいる場合、周囲には会社グループに属する周辺端末装置が存在することになる。この場合、端末装置は、設定条件テーブル８００のＩＤ２に示した出勤時の設定内容に設定を切替える。このように、会社にいる場合でも、周囲に知り合いがいる場合と他人だけがいる場合とで、それぞれに応じた設定内容に端末装置の設定が切替えられる。
【００９５】
以上のように、本実施例に係る端末装置によると、端末装置の置かれた状況に応じた所望の設定内容に切替えることができる。
【００９６】
以上の実施例を含む実施形態に関し、さらに以下の付記を開示する。
（付記１）
周辺端末装置と通信を行う端末装置において、
前記端末装置と一定の範囲内にある周辺端末装置から該周辺端末装置を識別する識別情報
を受信する受信手段と、
周辺端末装置の識別情報毎に周辺端末装置が属するグループをあらかじめ記憶したグループ情報
に基づいて、前記受信手段が受信した識別情報が示す周辺端末装置がいずれのグループに属するかを特定する特定手段と、
前記受信手段が一定期間に受信した識別情報についての前記特定手段による特定結果に応じて前記端末装置の設定内容を決定する決定手段と、
前記決定手段が決定した設定内容にしたがって前記端末装置の設定を切替える切替え手段と、
を備える端末装置。
（付記２）
前記グループ情報に含まれるグループは、周辺端末装置の利用者と前記端末装置の利用者との間の特定の関係を示す、
ことを特徴とする付記１に記載の端末装置。
（付記３）
前記決定手段は、前記受信手段が一定期間に受信した識別情報が示す周辺端末装置のうち特定のグループに属する周辺端末装置の数
に応じてあらかじめ決められた前記端末装置の設定内容
に関する設定情報
に基づいて、前記端末装置の設定内容を決定する、
ことを特徴とする付記１に記載の端末装置。
（付記４）
前記端末装置の設定内容には、マナーモードの設定、プライバシーモードの設定、所定のグループに属する周辺端末装置に関する情報の表示の有無、および所定のアプリケーションの実行の可否の少なくとも１つを含む、
ことを特徴とする付記１に記載の端末装置。
（付記５）
前記決定手段は、前記受信手段が一定期間に受信した識別情報が示す周辺端末装置に、いずれのグループにも属さない周辺端末装置が少なくとも所定の台数だけ含まれる場合、前記端末装置の設定内容として、マナーモードの設定、またはプライバシーモードの設定の少なくともいずれかを含む設定内容を決定する、
ことを特徴とする付記１に記載の端末装置。
（付記６）
前記決定手段は、前記受信手段が一定期間に受信した識別情報が示す周辺端末装置に、所定のグループに属する周辺端末装置が少なくとも所定の台数だけ含まれる場合、前記端末装置の設定内容として、前記所定のグループに属する周辺端末装置に関する情報の表示の有無、または前記所定のグループに属する周辺端末装置に関連づけられたアプリケーションの実行の有無の少なくともいずれかを含む設定内容を決定する、
ことを特徴とする付記１に記載の端末装置。
（付記７）
前記決定手段は、前記受信手段が一定期間に受信した識別情報が示す周辺端末装置に、所定のグループに属する周辺端末装置だけが含まれる場合、前記端末装置の設定内容として、マナーモードの設定またはプライバシーモードの設定の少なくともいずれかを解除する設定を含む設定内容を決定する、
ことを特徴とする付記１に記載の端末装置。
（付記８）
周辺端末装置と通信を行う端末装置の設定変更方法において、
前記端末装置と一定の範囲内にある周辺端末装置から該周辺端末装置を識別する識別情報を受信し、
周辺端末装置の識別情報毎に周辺端末装置が属するグループをあらかじめ記憶したグループ情報に基づいて、前記受信した識別情報が示す周辺端末装置がいずれのグループに属するかを特定し、
一定期間に受信した識別情報についての前記特定の結果に応じて前記端末装置の設定内容を決定し、
前記決定した設定内容にしたがって前記端末装置の設定を切替える、
処理を前記端末装置が行う設定変更方法。
（付記９）
周辺端末装置と通信を行う端末装置の設定変更を行うためのプログラムにおいて、
前記端末装置と一定の範囲内にある周辺端末装置から該周辺端末装置を識別する識別情報を受信し、
周辺端末装置の識別情報毎に周辺端末装置が属するグループをあらかじめ記憶したグループ情報に基づいて、前記受信した識別情報が示す周辺端末装置がいずれのグループに属するかを特定し、
一定期間に受信した識別情報についての前記特定の結果に応じて前記端末装置の設定内容を決定し、
前記決定した設定内容にしたがって前記端末装置の設定を切替える、
処理を前記端末装置に行わせるプログラム。
【符号の説明】
【００９７】
１００      端末装置
１３０      アプリケーション部
２１０      ＭＡＣアドレス通知部
２２０      Ｂｌｕｅｔｏｏｔｈ通信部
２３０      ＭＡＣアドレス集計部
２４０      モード決定部
２５０      プライバシーモード設定部
【図１】
2014075628.tif 000003
【図２】
2014075628.tif 000004
【図３】
2014075628.tif 000005
【図４】
2014075628.tif 000006
【図５】
2014075628.tif 000007
【図６】
2014075628.tif 000008
【図７】
2014075628.tif 000009
【図８】
2014075628.tif 000010
【図９】
2014075628.tif 000011
【図１０】
2014075628.tif 000012
【図１１】
2014075628.tif 000013
【図１２】
2014075628.tif 000014
【図１３】
2014075628.tif 000015
【図１４】
2014075628.tif 000016